(57)【要約】【課題】  患者情報を表示操作する操作者に応じて表示情報を変更でき、更に簡易な操作で表示する表示部付廊下灯を備えたナースコールシステムを提供する。【解決手段】  患者情報を画面表示する表示部付廊下灯３に、ＩＤ情報が記録された無線発信機からＩＤ情報を読み取るＩＤ受信部１５を設け、廊下灯ＣＰＵ１８は無線発信機が翳されることでＩＤ情報を読み取り、読み取ったＩＤ情報と関連付けられた患者情報が翳された表示部付廊下灯３にあるかどうかナースコールサーバに記憶された患者情報と照合することで判断し、ある場合はＬＣＤ１２に、関連する患者情報を患者情報記憶部１４から取り出して表示させた。【選択図】  図２
2008029619.tif 000002
【特許請求の範囲】
【請求項１】
患者が看護師を呼び出すためのナースコール子機と、患者からの呼び出しに応答するためのナースコール親機と、患者情報記憶部に記憶した患者情報を画像表示する表示手段を備えた表示部付廊下灯と、システムを制御する制御機と、全ての患者情報を記憶するナースコールサーバとを有するナースコールシステムであって、
異なるＩＤ情報を記憶して発信する複数の携帯可能な無線発信機と、
前記表示部付廊下灯内或いはその近傍に配置され、前記無線発信機が翳されることで無線発信機の記憶するＩＤ情報を読み取るＩＤ読み取り手段とを有すると共に、
前記制御機、前記ナースコール親機、前記表示部付廊下灯、前記ナースコールサーバの何れかに患者情報と前記無線発信機のＩＤ情報とを関連付けて記憶する患者情報データベースと、前記ＩＤ読み取り手段が読み取ったＩＤ情報と前記患者情報データベースの患者情報とを照合してＩＤ情報の一致する患者がいる場合はＩＤ情報送信元の表示部付廊下灯にＩＤ情報に基づく患者情報の表示を指示する表示指示信号を送信するＩＤ照合制御手段とを備え、
前記表示部付廊下灯は、受信した前記表示指示信号に基づいて前記患者情報記憶部から患者情報を取り出して前記表示手段に表示する表示制御手段を有することを特徴とするナースコールシステム。
【請求項２】
患者が看護師を呼び出すためのナースコール子機と、患者からの呼び出しに応答するためのナースコール親機と、患者情報記憶部を有して患者情報を画像表示する表示手段を備えた表示部付廊下灯と、システムを制御する制御機とを有するナースコールシステムであって、
異なるＩＤ情報を記憶して発信する複数の携帯可能な無線発信機と、
前記表示部付廊下灯内或いはその近傍に配置され、前記無線発信機が翳されることで無線発信機が記憶するＩＤ情報を読み取るＩＤ読み取り手段とを有し、
前記表示部付廊下灯に、読み取ったＩＤ情報と患者情報を関連付けるためのＩＤ情報記憶部と、読み取ったＩＤ情報を基に前記患者情報記憶部から患者情報を引き出して前記表示手段に表示する表示制御手段とを設けて成ることを特徴とするナースコールシステム。
【請求項３】
見舞人が携行する前記無線発信機は発券機により発行され、前記発券機は見舞先を入力する操作部と、入院患者情報を記憶する入院情報記憶部と、発行する前記無線発信機にＩＤ情報を書き込むＩＤ発行部と、ＩＤ発行を制御する発行制御手段とを有し、
前記発行制御手段は、入力された見舞先情報に基づいて少なくとも患者ＩＤを書き込む制御を行うことを特徴とする請求項１又は２記載のナースコールシステム。
【請求項４】
前記発行制御手段は、選択された患者ＩＤに加え、患者氏名を含む患者情報の一部のみを表示させるための規制ＩＤ情報を書き込む制御を行うことを特徴とする請求項３記載のナースコールシステム。
【請求項５】
前記発券機は、見舞先の患者が特定されたら特定した患者の病室情報を表示する発券機表示手段を有することを特徴とする請求項３又は４記載のナースコールシステム。
【請求項６】
前記表示部付廊下灯が複数の患者の患者情報表示部を備えている場合は、前記表示制御手段は、読み取ったＩＤ情報に基づく患者情報のみ表示させ、他の患者情報は表示しないよう制御することを特徴とする請求項１乃至５の何れかに記載のナースコールシステム。
【発明の詳細な説明】
【技術分野】
【０００１】
本発明は、廊下灯に患者情報を出画表示する表示部を備えたナースコールシステムに関し、詳しくは特定の操作をしなければ患者情報が表示されない廊下灯を備えたナースコールシステムに関する。
【背景技術】
【０００２】
従来から、廊下灯に患者情報をＬＣＤ等の画面に表示する表示部を備えたナースコールシステムがある。このようなナースコールシステムに使用される表示部付廊下灯は、プライバシー保護の為に患者情報が常時表示されていることはなく、特定の制御が成されたら、或いは直接表示操作が成されたら表示するよう構成されている（例えば、特許文献１参照）。
【特許文献１】特開２００６−２１０２９号公報
【発明の開示】
【発明が解決しようとする課題】
【０００３】
しかしながら、従来のこのようなナースコールシステムの場合、廊下灯の復旧ボタンの長押し等の特殊操作をすれば患者情報が表示されるので、見舞人等の第三者がその特殊操作を知った場合には、どの表示部付廊下灯であっても表示部に患者情報を表示させることができてしまい、患者のプライバシー保護の点で十分ではなかった。
【０００４】
また、廊下灯から得たい患者情報は、医師、看護師で異なるし、更には見舞人が知りたい情報は患者名程度であるにも拘わらず、表示される患者情報は一律であり、表示可能な全ての患者情報を表示する構成になっていたし、複数人の患者が居る病室の廊下灯の場合には、表示操作により必要とする特定の患者情報以外に他の全ての患者の患者情報までが表示されていた。更に、長押し等の特殊な操作による表示操作は時間を要する。
【０００５】
そこで、本発明はこのような問題点に鑑み、患者情報を表示操作する操作者に応じて表示情報を変更でき、更に簡易な操作で表示する表示部付廊下灯を備えたナースコールシステムを提供することを目的とする。
【課題を解決するための手段】
【０００６】
上記課題を解決する為に、請求項１の発明は、患者が看護師を呼び出すためのナースコール子機と、患者からの呼び出しに応答するためのナースコール親機と、患者情報記憶部に記憶した患者情報を画像表示する表示手段を備えた表示部付廊下灯と、システムを制御する制御機と、全ての患者情報を記憶するナースコールサーバとを有するナースコールシステムであって、異なるＩＤ情報を記憶して発信する複数の携帯可能な無線発信機と、表示部付廊下灯内或いはその近傍に配置され、無線発信機が翳されることで無線発信機の記憶するＩＤ情報を読み取るＩＤ読み取り手段とを有すると共に、制御機、ナースコール親機、表示部付廊下灯、ナースコールサーバの何れかに患者情報と無線発信機のＩＤ情報とを関連付けて記憶する患者情報データベースと、ＩＤ読み取り手段が読み取ったＩＤ情報と患者情報データベースの患者情報とを照合してＩＤ情報の一致する患者がいる場合はＩＤ情報送信元の表示部付廊下灯にＩＤ情報に基づく患者情報の表示を指示する表示指示信号を送信するＩＤ照合制御手段とを備え、表示部付廊下灯は、受信した前記表示指示信号に基づいて患者情報記憶部から患者情報を取り出して表示手段に表示する表示制御手段を有することを特徴とする。
【０００７】
この構成により、無線発信機のＩＤ情報に関連付けられた患者情報が表示部付廊下灯に表示されるので、表示部付廊下灯に関連した全ての患者の患者情報が表示されるのを防ぐことができるし、複数人の患者情報を表示する廊下灯であっても特定の患者以外の患者情報は表示しないように制御できるので、プライバシーの保護を図ることができる。
また、翳す操作で表示部付廊下灯は表示動作するので、簡易な而も短時間の操作で患者情報を表示できる。
更に、無線発信機に書き込まれるＩＤ情報を変えることで、表示する患者情報の内容を変更することができ、携行する人（医師、看護士、見舞人等）に応じて表示内容を変更できる。そのため、操作者に応じて最小限の情報のみ表示させることができプライバシー保護に効果的である。
【０００８】
請求項２の発明は、患者が看護師を呼び出すためのナースコール子機と、患者からの呼び出しに応答するためのナースコール親機と、患者情報記憶部を有して患者情報を画像表示する表示手段を備えた表示部付廊下灯と、システムを制御する制御機とを有するナースコールシステムであって、異なるＩＤ情報を記憶して発信する複数の携帯可能な無線発信機と、表示部付廊下灯内或いはその近傍に配置され、無線発信機が翳されることで無線発信機が記憶するＩＤ情報を読み取るＩＤ読み取り手段とを有し、表示部付廊下灯に、読み取ったＩＤ情報と患者情報を関連付けるためのＩＤ情報記憶部と、読み取ったＩＤ情報を基に患者情報記憶部から患者情報を引き出して表示手段に表示する表示制御手段とを設けて成ることを特徴とする。
【０００９】
この構成により、無線発信機のＩＤ情報に関連付けられた患者情報が表示部付廊下灯に表示されるので、表示部付廊下灯に関連した全ての患者の患者情報が表示されるのを防ぐことができるし、複数人の患者情報を表示する廊下灯であっても特定の患者以外の患者情報は表示しないように制御できるので、プライバシーの保護を図ることができる。
また、発信機を翳す簡単な操作で表示部付廊下灯は表示動作し、且つ表示部付廊下灯が判断して表示するので、遅延なく患者情報を表示できる。
更に、無線発信機に書き込まれるＩＤ情報を変えることで、表示する患者情報の内容を変更することができ、携行する人（医師、看護士、見舞人等）に応じて表示内容を変更できる。そのため、操作者に応じて最小限の情報のみ表示させることができプライバシー保護に効果的である。
【００１０】
請求項３の発明は、請求項１又は２に記載の発明において、見舞人が携行する無線発信機は発券機により発行され、発券機は見舞先を入力する操作部と、入院患者情報を記憶する入院情報記憶部と、発行する無線発信機にＩＤ情報を書き込むＩＤ発行部と、ＩＤ発行を制御する発行制御手段とを有し、発行制御手段は、入力された見舞先情報に基づいて少なくとも患者ＩＤを書き込む制御を行うことを特徴とする。
この構成により、見舞人に対しては、発券機が、必要な情報のみ表示させる発信機を発行するので、見舞人は見舞先の患者が居る病室の廊下灯に翳せばそれを確認でき、便利である。
【００１１】
請求項４の発明は、請求項３に記載の発明において、発行制御手段は、選択された患者ＩＤに加え、患者氏名を含む患者情報の一部のみを表示させるための規制ＩＤ情報を書き込む制御を行うことを特徴とする。
この構成により、見舞人が携行する無線発信機により、表示部付廊下灯が患者情報を表示する場合、一部しか表示しないので、プライバシーを確実に保護できる。
【００１２】
請求項５の発明は、請求項３又は４に記載の発明において、発券機は、見舞先の患者が特定されたら特定した患者の病室情報を表示する発券機表示手段を有することを特徴とする。
この構成により、発券機は、見舞人に対して見舞先を案内できるので、案内所を設ける必要がなくなる。また、場所情報をフロアレイアウト図等の地図情報と合わせて表示することも可能であり、大病院では見舞人に対して視覚で案内でき、判りやすい案内ができる。
【００１３】
請求項６の発明は、請求項１乃至５の何れかに記載の発明において、表示部付廊下灯が複数の患者の患者情報表示部を備えている場合は、表示制御手段は、読み取ったＩＤ情報に基づく患者情報のみ表示させ、他の患者情報は表示しないよう制御することを特徴とする。
この構成により、同室の他の患者情報は表示されないので、プライバシーの保護を図ることができる。
【発明の効果】
【００１４】
本発明によれば、無線発信機のＩＤ情報に関連付けられた患者情報が表示部付廊下灯に表示されるので、表示部付廊下灯に関連した全ての患者の患者情報が表示されるのを防ぐことができるし、複数人の患者情報を表示する廊下灯であっても特定の患者以外の患者情報は表示しないように制御できるので、プライバシーの保護に効果を奏する。
また、翳す操作で表示部付廊下灯は表示動作するので、簡易な操作で且つスピーディーな操作で患者情報を表示できる。
更に、無線発信機毎に記憶させるＩＤを変えることで、表示する患者情報の内容を変更することができ、携行する人（医師、看護士、見舞人等）に応じて表示内容を変更することが可能であり、見舞人が操作してもプライバシー保護を図ることが可能となる。
【発明を実施するための最良の形態】
【００１５】
以下、本発明を具体化した実施の形態を、図面に基づいて詳細に説明する。図１は、本発明に係るナースコールシステムの一例を示す構成図であり、１はナースステーションに設置されて患者からの呼び出しに応答するためのナースコール親機、２はシステムを制御する制御機、３は病室毎に廊下に設置される表示部付廊下灯（以下、単に廊下灯と称する）、４はベッド毎に設置されて看護師を呼び出すためのナースコール子機、５は廊下灯３に患者情報を表示させるための無線発信機（以下、単に発信機と称する）、６は見舞人に発信機５を発行する発券機、７は携帯型ナースコール親機（ハンディーナース）、８はハンディーナース７に接続操作するＰＢＸ交換機、９はハンディーナース７と無線通信する基地局、１０は全ての患者の患者情報を蓄積しているナースコールサーバである。
【００１６】
廊下灯３は、図２のブロック図に示すように構成されている。表示手段としての液晶表示部（ＬＣＤ）１２、表示をコントロールするＬＣＤコントローラ１３、表示する患者情報を記憶する患者情報記憶部１４、発信機５の発信するＩＤ情報を受信するＩＤ受信部１５、患者からの呼び出しを報知する表示灯１６、廊下灯３を制御する廊下灯ＣＰＵ１８、制御機２から配設された信号線やナースコール子機４が接続されるインターフェイス（廊下灯ＩＦ）１９を備えている。
【００１７】
患者情報記憶部１４には、対応する病室の患者情報である氏名、性別、年齢、救護区分、感染症情報、外泊／在室／外出情報等が記憶され、これらの情報の記憶操作はナースコール親機１の操作で実施される。尚、発信機５の発信するＩＤ情報も、同様に看護師、医師、見舞人、配膳業者等のＩＤを有して構成されている。
また、ナースコールサーバ１０に蓄積されている患者情報は、看護師、医師、見舞人、配膳業者等のＩＤ情報と関連付けられて記憶されており、患者情報データベースとなっている。
【００１８】
発信機５は、ＩＤ情報が書き込まれたタグから情報を無線によってやりとりする技術（ＲＦＩＤ）を利用したＩＣカードであり、廊下灯３のＩＤ受信部１５に翳すことでＩＤ受信部１５が発信機５に書き込まれたＩＤ情報を読み取ることが可能となっている。発信機５には、携行する人が看護師、医師、見舞人等の何れであるか識別するＩＤ、患者ＩＤ等が書き込まれる。
【００１９】
発券機６は、図３に示すように構成されている。図３において、２２は操作ボタンを表示したり地図情報を表示するＬＣＤ、２３はＬＣＤ２２上に設置された操作部としてのタッチパネル、２４は入院患者の氏名及び病室番号を記憶する入院情報記憶部、２５はＩＤ情報を発信機５に書き込むＩＤ発行部、２６は発信機発行部、２７は発券機６を制御する発券機ＣＰＵである。また、２８はナースコールサーバ１０と通信するためのインターフェイス（発券機ＩＦ）であり、発券機ＣＰＵ２７はナースコールサーバ１０に記憶されている患者情報を定期的に入手して書き換える制御を行い、入院情報記憶部２４は最新の入院情報が記憶されるよう構成されている。
【００２０】
このように構成されたナースコールシステムについて、以下、動作を説明する。但し、ナースコールシステムの基本動作であるナースコール子機４からの呼び出し、その呼び出しに対するナースコール親機１、又はハンディーナース７での応答動作、また廊下灯３患者からの呼び出しがあったら表示灯１６が点滅する動作については、従来と同様なので説明を省略し、ここでは発信機５と廊下灯３の患者情報表示動作の関係について説明する。
【００２１】
最初に、ナースコール子機４により患者から呼び出しが成された場合の動作を説明する。呼び出しが成されたら廊下灯３のＬＣＤ１２に動物絵柄等の起動画面が表示される。そして、担当看護師がその呼び出しを受けて、携行する発信機５を呼び出し表示している廊下灯３のＩＤ受信部１５に翳すと、ＩＤ受信部１５がＩＤ情報を読みとる。
廊下灯ＣＰＵ１８は、この読み取ったＩＤ情報をＩＤ照合制御手段としてのナースコールサーバ１０に送信し、記憶している情報と照合する。この照合で、操作者が看護師であることを認識したナースコールサーバ１０は、呼出操作をした患者の患者情報を全て表示させる表示指示信号を廊下灯３に送信し、廊下灯ＣＰＵ１８は呼び出し操作をした患者の患者情報を全てＬＣＤ１２に表示させる。この状態が図４（ａ）の状態である。このように、発信機５は携行する看護師のＩＤ情報を有することで、看護師による操作であることが認識され、廊下灯３に患者情報が表示される。
【００２２】
尚、図４の表示は病室が４人部屋の場合の表示を示すもので、呼出操作をした患者が複数のベッドを備えた病室に居る場合、廊下灯ＣＰＵ１８は、図４に示すようにその患者情報のみを表示する制御を実施し、同室の他の患者の情報は表示されない。そして、この表示は一定時間経過または復旧操作を行うことにより待ち受け状態に戻る。また、図４（ａ）において、患者名の上に表示されている図柄は左から感染症、外泊、救護区分情報を示し、患者名の下は担当医師名を示している。
【００２３】
次に、呼び出しのない待ち受け状態において、看護師、或いは医師が携行する発信機５を廊下灯３のＩＤ受信部１５に翳した場合は以下のように動作する。この場合、廊下灯ＣＰＵは、この読み取ったＩＤ情報を、ナースコールサーバ１０に送信し、記憶している情報と照合する。この照合で、操作者が看護師、或いは医師であることをＩＤ情報により認識したナースコールサーバ１０は、表示指示信号を廊下灯３に送信し、廊下灯ＣＰＵ１８は患者情報を全てＬＣＤ１２に表示させる。この場合、患者からの呼び出しに対する応答操作とは異なり、廊下灯ＣＰＵ１８は複数のベッドを備えた病室の場合には、全患者の患者情報を表示させる。
【００２４】
尚、この表示制御は、表示操作をした看護師、或いは医師が担当する患者がその内の一部の患者のみである場合は、担当する患者の患者情報のみ表示させるようにしても良い。これは、患者情報を看護師ＩＤ、及び医師ＩＤに関連付けて記憶しておき、発信機５にこれらのＩＤ情報を記憶させることで実施できる。また、医師と看護師と表示項目を変えることも容易に実施できる。
【００２５】
見舞人が発信機を携行する場合は次のように動作する。先ず、見舞人は受け付け等に設置された発券機６を操作することによって発信機５が入手される。図５は発券機６の動作の流れ、図６は発信機５を廊下灯３に翳した場合の動作の流れを示している。以下、このフローチャートに基づいて説明する。
【００２６】
発券機６のタッチパネル２３を操作して、先ず見舞先の患者氏名等が入力される（Ｓ１）。この操作で、発券機ＣＰＵ２７は、入力された患者が入院しているかどうか入院情報記憶部２４を検索（Ｓ２）し、入院患者が特定されたらその所在を病室番号や地図情報等でＬＣＤ２２に表示する（Ｓ３）。ＬＣＤ２２には、発券機ＣＰＵ２７の制御により、例えば「東棟  ２０５号室」といった情報や、そこまでの地図情報が入院情報を基に表示される。
そして、発行する発信機５に見舞人が携行することを示す発信機ＩＤ情報と見舞先患者のＩＤ情報を書き込み、同時に発信機ＩＤ情報をナースコールサーバ１０へ送信（Ｓ５）する。ナースコールサーバ１０は、このＩＤ情報を登録し（Ｓ６）、登録が完了したら、発信機５が発行される（Ｓ７）。また、該当する患者がいない場合は、ＬＣＤ２２に「該当患者なし」等の表示を行う（Ｓ４）。見舞人は、こうして発行された発信機５を所持して、案内された病室に向かう。
【００２７】
次に、こうして発行された発信機５を見舞人が携行して廊下灯３のＩＤ受信部１５に翳した場合の動作を図６に基づいて説明する。廊下灯ＣＰＵ１８は、発信機５からＩＤ情報を受信（Ｓ１１）したら、発信機５のＩＤ情報と共に自身の廊下灯ＩＤ情報をナースコールサーバ１０へ送信（Ｓ１２）する。このとき発信機５の発信するＩＤ情報には、上述したように発券する際入力された発信機ＩＤと患者ＩＤが記憶されている。
【００２８】
ナースコールサーバ１０では、このＩＤ情報を受信したら記憶している情報と照合する（Ｓ１３）。この照合操作で、双方が一致する患者が居るかどうか検索（Ｓ１４）し、居る場合、即ち発信機５が翳された病室に発信機５の持つＩＤに関連した患者が居る場合は、発信機ＩＤに基づき表示項目を指示する表示指示信号を廊下灯に送信する（Ｓ１５）。この信号を受けて、廊下灯ＣＰＵ１８は指示された表示項目のみ（例えば、図４（ｂ）に示すような患者氏名のみ）をＬＣＤ１２に表示する（Ｓ１６）。こうして、見舞人は、案内された病室に目的とする人が居ることを確認することができる。尚、ここで送信される表示指示信号は、例えば表示する患者氏名等の患者情報であり、廊下灯ＣＰＵ１８は、この情報を受けて患者情報記憶部１４の記憶情報と一致した患者情報のみ表示する制御が行われる。
【００２９】
一方、照合の結果、双方が一致する患者が居なければ、即ち発信機が翳された病室に関連する患者が居ない場合は、この病室には目的の患者は居ないことを表示するための表示指示信号が廊下灯３に送付される（Ｓ１７）。この信号を受けて、廊下灯ＣＰＵ１８は、例えば「部屋が違います」等をＬＣＤ１２に表示させる（Ｓ１８）。こうして、間違った病室の廊下灯３に翳した場合は、見舞人は間違っていることを認識できる。
【００３０】
このように、翳された無線発信機のＩＤ情報に関連付けられた患者情報が表示部付廊下灯に表示されるので、表示部付廊下灯に関連した全ての患者の患者情報が表示されるのを防ぐことができる。また、複数人の患者情報を表示する廊下灯であっても特定の患者以外の患者情報は表示しないように制御できるので、プライバシーの保護に効果を奏する。
また、翳す操作で表示部付廊下灯は表示動作するので、簡易な而も短時間の操作で患者情報を表示できる。
更に、無線発信機毎に記憶させるＩＤを変えることで、表示する患者情報の内容を変更することができるため、携行する人（医師、看護士、見舞人等）に応じて表示内容を変更することができ、操作者に応じて最小限の情報のみ表示することができ、見舞人が携行してもプライバシー保護を維持できる。
【００３１】
また、見舞人は見舞先の患者が居る病室の廊下灯に翳せばそれを確認でき、便利であるし、発券機が発行する発信機では表示部付廊下灯は患者情報の一部しか表示しないので、プライバシーを確実に保護できる。
更に、ナースコールサーバに患者データが蓄積されるので、別途設置されるオーダリングシステムと連携して患者情報を得ることが可能となる。
また、発券機は、見舞人に対して見舞先を案内できるので、案内所を設ける必要がなくなるし、場所情報をフロアレイアウト図等の地図情報と合わせて表示することで、特に大病院では見舞人に対して視覚で案内でき、判りやすい案内ができる。
【００３２】
尚、ＩＤ照合制御手段を患者情報を記憶しているナースコールサーバ１０に設けているが、ナースコール親機１、制御機２、或いは廊下灯３に設けても良い。また、ナースコールサーバ１０が記憶している患者情報は、ＩＤ情報を関連付けて記憶させて患者情報データベースとして使用しているが、患者情報データベースはナースコールサーバ１０とは独立して、ナースコール親機１、制御機２、或いは廊下灯の何れかに設けても良い。
また、火災発生時等の緊急時においては、ナースコール親機１の制御により発信機５の操作によらず患者情報が廊下灯３に表示され、緊急時においては速やかな対応が可能となっている。
【００３３】
図７は本発明に係るナースコールシステムの他の形態を示し、廊下灯のブロック図を示している。上記図１に示す実施形態とは廊下灯の構成が異なり、ＩＤ情報記憶部１７を備え、発信機５から読み取ったＩＤ情報に基づいて、廊下灯ＣＰＵ３１が照合して表示制御を実施するよう構成されている。尚、この廊下灯３０は、上記図２に示す廊下灯３と同一の構成要素には同一の符号を付与してある。また、この廊下灯３０は上記図１に示すナースコールシステムに組み込まれている。
【００３４】
ＩＤ情報記憶部１７には、看護師、医師、見舞人、配膳作業者等の発信機５を携行する人を分類するＩＤ情報が患者情報の分類（氏名、救護区分、感染症、外泊／在室／外出等）毎に関連付けられて記憶され、これらの情報はナースコール親機１の操作で実施される。
【００３５】
このように構成されたシステムにおいて発信機５を廊下灯３０に翳した場合の動作を説明する。まず、ナースコール子機４により患者から呼び出しが成された場合、廊下灯３０のＬＣＤ１２に起動画面が表示される。そして、担当看護師がその呼び出しを受けて、携行する発信機５を呼出表示している廊下灯３０のＩＤ受信部１５に翳すと、ＩＤ受信部１５がＩＤ情報を読みとる。読み取ったＩＤ情報は、廊下灯ＣＰＵ３１によりＩＤ情報記憶部１７に記憶されたＩＤ情報と照合され、この照合で操作者が看護師であることを認識すると、呼び出し操作をした患者の全ての患者情報が上記図４（ａ）に示すようにＬＣＤ１２に表示される。
【００３６】
次に、呼び出しのない待ち受け状態において、看護師、或いは医師が携行する発信機５を廊下灯３０のＩＤ受信部１５に翳した場合は次のように動作する。この場合、廊下灯ＣＰＵ３１は、読み取ったＩＤ情報をＩＤ情報記憶部１７の情報と照合し、操作者が看護師或いは医師であることを認識したら、複数のベッドを備えた病室の場合であっても、全患者の患者情報を表示する。
【００３７】
尚、この表示制御は、表示操作をした看護師或いは医師が担当する患者が病室の一部の患者のみである場合は、担当する患者の患者情報のみ表示させるようにしても良い。これは、患者情報記憶部１４が記憶する患者情報を看護師ＩＤ、及び医師ＩＤに関連付けて記憶させ、発信機５にこれらのＩＤ情報を書き込むことで実施できる。また、医師と看護師と表示内容を変えることも容易に実施できる。
【００３８】
そして見舞人が携行した発信機５が翳された場合は次のように動作する。先ず、上記実施形態と同様に見舞人は受け付け等に設置された発券機６を操作することによって発信機５が入手される。発券機６のタッチパネル２３を操作することで、見舞先の患者が特定されたら、病室番号等の患者の所在地情報が表示され、この操作により発信機５が発行される。見舞人は発行された発信機５を所持して案内された病室に向かう。このとき、発信機５には見舞人であることを識別するための発信機ＩＤ、見舞先の患者ＩＤ等が書き込まれている。
【００３９】
こうして発行された発信機５を携行した見舞人が、案内された病室の廊下灯３０のＩＤ受信部１５に発信機５を翳すと、上述した看護師の場合と同様に患者情報の表示が行われる。但し、この場合、廊下灯ＣＰＵ３１は見舞人であることを読み取ったＩＤ情報とＩＤ情報記憶部１７の情報から認識し、患者氏名等の患者の基本情報のみＬＣＤ１２に表示させる制御をおこなう。尚、見舞人が携行する発信機５の場合、発信機ＩＤは患者氏名情報のみが関連付けられており、発信機ＩＤと患者ＩＤの双方を受信した廊下灯３１は、対応するＩＤの患者がいる場合、その患者氏名のみ表示する。
【００４０】
このように、無線発信機に書き込まれたＩＤ情報に関連付けられた患者情報が表示部付廊下灯に表示されるので、表示操作をしても表示部付廊下灯に全ての患者の患者情報が表示されるのを防ぐことができるし、複数人の患者情報を表示する廊下灯であっても特定の患者以外の患者情報は表示しないので、プライバシーの保護を図ることができる。
また、発信機を翳す簡単な操作で表示部付廊下灯は表示動作し、且つ表示部付廊下灯が判断して表示するので、遅延なく患者情報を表示できる。
更に、無線発信機に書き込まれるＩＤ情報を変えることで、表示する患者情報の内容を変更することができ、携行する人（医師、看護士、見舞人等）に応じて表示内容を変更できる。そのため、操作者に応じて最小限の情報のみ表示させることができプライバシー保護に効果的である。
【００４１】
尚、この実施形態の場合、廊下灯３０にＩＤ情報記憶部１７を設けて、発信機５から読み取った情報を廊下灯内で処理するよう構成しているが、全ての廊下灯３１のＩＤ情報記憶部１７を、ナースコール親機１、制御機２、ナースコールサーバ１０の何れかに一括して設けても良い。
また、上記何れの実施形態も、ＩＤ受信部１５を廊下灯３，３０内に設けているが、別体としても良く、廊下灯３，３０に近接させて設置しても良い。
【図面の簡単な説明】
【００４２】
【図１】本発明の実施形態の一例を示すナースコールシステムの構成図である。
【図２】図１の表示部付廊下灯のブロック図である。
【図３】図１の発券機のブロック図である。
【図４】表示部付廊下灯の表示模式図を示し、（ａ）は看護師が操作した場合の表示、（ｂ）は見舞人が操作した場合の表示である。
【図５】発券機の動作の流れを示すフローチャートである。
【図６】廊下灯に発信機が翳された場合の動作の流れを示すフローチャートである。
【図７】廊下灯の他の構成を示すブロック図である。
【符号の説明】
【００４３】
１・・ナースコール親機、２・・制御機、３・・表示部付廊下灯、５・・無線発信機、６・・発券機、１０・・ナースコールサーバ（ＩＤ照合制御手段、患者情報データベース）、１２・・ＬＣＤ（表示手段）、１４・・患者情報記憶部、１５・・ＩＤ受信部（ＩＤ読み取り手段）、１８・・廊下灯ＣＰＵ（表示制御手段）、２２・・ＬＣＤ（発券機表示手段）、２３・・タッチパネル（操作部）、２４・・入院情報記憶部、２５・・ＩＤ発行部、２６・・発信機発行部、２７・・発券機ＣＰＵ（発行制御手段）、３０・・表示部付廊下灯、３１・・廊下灯ＣＰＵ（表示制御手段）。
【図１】
2008029619.tif 000003
【図２】
2008029619.tif 000004
【図３】
2008029619.tif 000005
【図４】
2008029619.tif 000006
【図５】
2008029619.tif 000007
【図６】
2008029619.tif 000008
【図７】
2008029619.tif 000009